(57)【要約】【課題】  設置床面に軌条を敷設することなく、炉床部分を前方へ引き出せるような構造とすることができ、また、従来のものと比べて、低い位置で台座をスライドさせることができる陶芸窯を提供する。【解決手段】  炉室２の下方において平行に保持された一対のレール８と、その手前側端部付近において回動可能なように支持された固定ローラー１４ａ，１４ｂと、その上に載置された台座５と、その奥部側において回動可能なように支持された可動ローラー９ａ，９ｂとによって構成されるスライド機構を有しており、可動ローラー９ａ，９ｂが、レール８によって上下方向への移動が規制されるように構成されていることを特徴とする。【選択図】  図１
2005298229.tif 000002
【特許請求の範囲】
【請求項１】
スライド機構により、炉床部分を前方へ引き出すことができるように構成された陶芸窯において、
前記スライド機構が、炉室の下方において平行に保持された一対のレールと、当該レールの手前側端部付近において回動可能なように支持された固定ローラーと、当該固定ローラー上に載置された台座と、当該台座の奥部側において回動可能なように支持された可動ローラーとによって構成され、
前記可動ローラーが、前記レールによって上下方向への移動が規制されるように構成されていることを特徴とする陶芸窯。
【請求項２】
一本のシャフトの両端に一対の可動ローラーがそれぞれ配置され、他の一本のシャフトの両端に、一対の固定ローラーがそれぞれ配置されていることを特徴とする、請求項１に記載の陶芸窯。
【発明の詳細な説明】
【技術分野】
【０００１】
本発明は、炉床部分を前方へ引き出すことができる陶芸窯に関し、特に、設置床面に軌条を敷設することなく構成することができ、また、十分な強度を得られるため、中規模以上のものにも好適に適用することができる陶芸窯に関する。
【背景技術】
【０００２】
工業的に生産される現代の陶芸窯としては、様々なタイプのものがある。例えば、炉室の上面が開く上蓋開閉式のものや、炉室の前面に扉が設置される前面開閉式のものなどがある。また、前面開閉式の陶芸窯のうち、中規模以上の炉室容積を有するものは、窯詰め、窯出し等の作業性が向上するように、炉床部分を前方へ（炉室外へ）引き出すことができるようになっているものがある。
【０００３】
図４は、炉床部分を前方へ引き出すことができる陶芸窯の一例を示す図である。図示されているように、この陶芸窯５１においては、一対の金属製の軌条５３が、炉室５２の下方から前方のスペースにかけて敷設されており、前面扉５４が開かれた状態において台座５５を手前側へ引っ張ると、台座５５の底面に取り付けられている車輪５６が軌条５３上を滑動し、炉室５２内からその前方のスペースへ、炉床５７を簡単に引き出すことができるようになっている。
【０００４】
但し、図４に示したような軌条５３が、陶芸窯５１の前方の床面に敷設されるとなると、陶芸窯５１の設置に際し、十分な広さの設置面積を確保することが必要となり、設置場所が限定されてしまうという問題がある。また、炉床５７を炉室５２内に収納した状態においては、軌条５３が設置床面において露出することになるため、作業者が躓いてしまう可能性がある。特に、焼成時には陶芸窯５１が高温となるため、非常に危険である。
【０００５】
このようなことから、従来の陶芸窯には、設置床面に軌条等を敷設することなく、炉床を前方へ引き出すことができるように構成されたものも存在する。例えば、図５に示すように、炉室５２の下方においてほぼ水平となるように固定された一対のレール５８を、台座５５の奥部に取り付けたローラー５９（上部ローラー５９ａ、下部ローラー５９ｂ）によって挟み込むように構成し、台座５５乃至は炉床５７を、炉室５２の前方へ水平移動させることができるようにした陶芸窯５１や、特開２００３−１６１５７９に開示されているように、摺動機構により、炉床を手前側に引き出せるように構成された陶芸窯などもある。
【０００６】
【特許文献１】特開２００３−１６１５７９号公報
【発明の開示】
【発明が解決しようとする課題】
【０００７】
しかしながら、図５に示した陶芸窯５１は、固定されたレール５８の下側に、下部ローラー５９ｂが移動するためのスペースを確保しなければならないため、設置床面から台座５５の上面５５ａまでの高さｈが、必要以上に大きくなってしまい、窯詰め等の作業性が却って悪化してしまうという問題がある。
【０００８】
尚、この問題は、ローラー５９の直径を小さくする、つまり、より直径の小さいローラー５９を採用することによって、ある程度解決できるようにも思えるが、ローラー５９の直径を小さくすると、その分だけ摩擦抵抗が大きくなるので、炉床５７を移動させる際に、より大きな力が必要となる。また、ローラー５９は、焼成時の熱を受けて変形する可能性があるが、熱変形の度合い及びその悪影響の大きさは、直径が大きいほど小さくて済むことになる。従って、ローラー５９の直径を小さくすることは好ましくない。
【０００９】
また、特開２００３−１６１５７９号公報に開示されている陶芸窯において、炉床を水平方向へスライドさせるために採用されている摺動機構は、構造上、十分な強度を得ることができないという問題がある。
【００１０】
この点について詳細に説明すると、当該公報の図６、図７からも明らかなように、この摺動機構４は、断面が「コ」の字型となる固定側レール６と摺動側レールとを、相互に向かい合うようにして噛み合わせ、それらの間に形成された空間内に、二つのローラーを配置させる構造となっているため、各ローラーを支持する軸は、一方の端部のみがレールに固定され、他方の端部は自由な状態（いわゆる「片持ち梁状」）となっている。これらのローラーには、炉床の全荷重が作用することになるが、ローラーを支持する軸が、不安定な「片持ち梁状」となっているため、載荷重量の限界が低く、炉室容積が１ｍ３程度の小型の陶芸窯に適用することはできても、それ以上の大きさの陶芸窯への適用は、強度の面で問題がある。
【００１１】
本発明は、上記のような問題を解決すべくなされたものであって、設置床面に軌条を敷設することなく構成することができ、十分な強度を得ることができ、また、従来のものと比べて、低い位置で台座をスライドさせることができる陶芸窯を提供することを目的とする。
【課題を解決するための手段】
【００１２】
本発明に係る陶芸窯は、スライド機構により、炉床部分を前方へ引き出すことができるように構成され、そのスライド機構が、炉室の下方において平行に保持された一対のレールと、当該レールの手前側端部付近において回動可能なように支持された固定ローラーと、当該固定ローラー上に載置された台座と、当該台座の奥部側において回動可能なように支持された可動ローラーとによって構成され、可動ローラーが、レールによって上下方向への移動が規制されるように構成されていることを特徴としている。
【００１３】
尚、可動ローラー、及び、固定ローラーは、それぞれ二つずつ使用され、一本のシャフトの両端に一対の可動ローラーがそれぞれ配置されるとともに、他の一本のシャフトの両端に、一対の固定ローラーがそれぞれ配置されるように構成することが好ましい。
【発明の効果】
【００１４】
本発明の陶芸窯は、上記のようなスライド機構を採用することにより、設置床面に軌条を敷設することなく、炉床部分を炉室の前方へ引き出せるような構造とすることができる。従って、設置面積を小さくすることができるほか、作業者が躓くといった事態を好適に回避することができ、作業の安全性を向上させることができる。
【００１５】
また、従来のスライド式の陶芸窯と比べて、低い位置において台座をスライドさせることができるので、窯詰め、窯出しを行う際に生じうる作業性の悪化という問題を回避することができる。
【００１６】
また、上記のようなスライド機構を採用した場合、二つの可動ローラーを一本のシャフトによって支持するような構造とすることができ、また、固定ローラーについても、二つを一本のシャフトによって支持するような構造とすることができるため、各ローラーにおいて、炉床部分及びその搭載物の全重量を、安定して支えることができ、強度上の問題を好適に解決することができる。従って、小規模の陶芸窯だけでなく、中規模以上の炉室容積を有する陶芸窯にも、適用することができる。
【発明を実施するための最良の形態】
【００１７】
以下、添付図面に沿って本発明を実施するための最良の形態について説明する。図１は、本発明に係る陶芸窯１の側面図であり、図２（１）は、図１に示した陶芸窯１の台座５と固定部１０の側面図、図２（２）はその平面図である。また、図３（１）は、図２に示したＡＡ線による断面図、図３（２）は、図２に示したＢＢ線による断面図である。
【００１８】
この陶芸窯１は、炉室２の前面に扉が設置される前面開閉式の窯であり、台座５と固定部１０からなるスライド機構により、炉床７を窯の前方へ容易に引き出すことができるようになっている。尚、図１においては、前面扉の表示は省略されており、また、炉床７（台座５を含む）、及び、固定部１０以外の部分については、垂直断面が示されている。
【００１９】
図２からも明らかなように、台座５は、二つの平行な長手部材１１ａ，１１ｂ、これらと直交する三つの横桁部材１２ａ〜１２ｃ、ハンドル１３、及び、可動ローラー部９（可動ローラー９ａ，９ｂ、及び、シャフト９ｃ）によって構成されている。ハンドル１３は、台座５を炉室２（図１参照）内から引き出し、或いは、炉室２内へ収容する際に、作業者に把持させるためのものであり、台座５の手前側（図２においては右側）端部付近に取り付けられている。可動ローラー部９は、奥側の端部（ハンドル１３が取り付けられている端部とは反対側の端部）付近に配置されており、左右の可動ローラー９ａ，９ｂが回動可能なように保持されている。
【００２０】
一方、固定部１０は、二つの平行なレール８ａ，８ｂ、及び、固定ローラー部１４（固定ローラー１４ａ，１４ｂ、及び、シャフト１４ｃ）によって構成されている。固定ローラー部１４は、レール８ａ，８ｂの手前側端部の下側に取り付けられた延長部１６，１６によってシャフト１４ｃの両端が支持されることにより、左右の固定ローラー１４ａ，１４ｂが回動可能な状態で保持されるようになっている。
【００２１】
レール８ａ，８ｂはいずれも、図３に示されているように、垂直部１５ａの上端及び下端に、上部プレート１５ｂと下部プレート１５ｃがそれぞれ接続され、断面が「コ」の字型となるように成形されている。上部プレート１５ｂの下向き面、及び、下部プレート１５ｃの上向き面は、いずれも平滑で、これらの離間寸法は、レール８ａ，８ｂの全長にわたって一定となるように設定されている。
【００２２】
台座５の可動ローラー９ａ，９ｂは、大径部と小径部とからなり、大径部における直径は、レール８ａ，８ｂにおける上部プレート１５ｂと下部プレート１５ｃの離間寸法よりも大きく、小径部における直径は、当該離間寸法よりも僅かに（１ｍｍ程度）小さく設定されている。
【００２３】
レール８ａ，８ｂに対し、台座５は、可動ローラー９ａ，９ｂの小径部が、図３に示されているように、上部プレート１５ｂと下部プレート１５ｃとによって挟み込まれるような状態（上下方向への移動が規制される状態）となるように、かつ、固定ローラー１４ａ，１４ｂの上に、台座５の長手部材１１ａ，１１ｂが載置されるような状態で取り付けられている。
【００２４】
このように、台座５及びその上に搭載される物の荷重は、可動ローラー９ａ，９ｂ、及び、固定ローラー１４ａ，１４ｂを介して、レール８ａ，８ｂによって支えられることになるが、可動ローラー９ａ，９ｂ及び固定ローラー１４ａ，１４ｂはいずれも回動可能なように支持されているため、台座５は、陶芸窯１（図１参照）の本体に固定されている固定部１０に対して、レール８ａ，８ｂの長手方向（水平方向）へ滑らかに移動させることができる。
【００２５】
尚、台座５及びその搭載物の重心位置が、固定ローラー部１４のシャフト１４ｃよりも手前側（図２において右側）となるまで台座５を移動させた場合、シャフト１４ｃよりも手前側（ハンドル１３側）の部分については、下方へ下がるような力が、また、シャフト１４ｃよりも奥側（可動ローラー部１４側）の部分については、上方へ持ち上がるような力が作用することになるが、可動ローラー１４ａ，１４ｂは、上部プレート１５ｂ、及び、下部プレート１５ｃによって上下方向への移動が規制されているため、台座５は、傾くことなく、水平状態のまま保持されることになる。
【００２６】
尚、可動ローラー９ａ，９ｂの大径部は、シャフト９ｃの軸線方向への可動ローラー部９の移動を規制することになるので、これにより、小径部の脱輪（レール８ａ，８ｂからの脱落）が防止される。また、固定ローラー１４ａ，１４ｂの大径部は、ガイドとして機能することになり、載置された長手部材１１ａ，１１ｂが、固定ローラー１４ａ，１４ｂ上の位置から外れてしまうような事態を好適に回避することができる。
【図面の簡単な説明】
【００２７】
【図１】本発明に係る陶芸窯１の側面図。
【図２】図１に示した陶芸窯１の台座５と固定部１０の側面図、及び、平面図。
【図３】図２に示したＡＡ線、ＢＢ線による台座５と固定部１０の断面図。
【図４】従来の陶芸窯５１の一例を示す図。
【図５】従来の陶芸窯５１の一例を示す図。
【符号の説明】
【００２８】
１，５１：陶芸窯、
２，５２：炉室、
５，５５：台座、
７，５７：炉床、
８，８ａ，８ｂ，５８：レール、
９：可動ローラー部、
９ａ，９ｂ：可動ローラー、
９ｃ：シャフト、
１０：固定部、
１１ａ，１１ｂ：長手部材、
１２ａ〜１２ｃ：横桁部材、
１３：ハンドル、
１４：固定ローラー部、
１４ａ，１４ｂ：固定ローラー、
１４ｃ：シャフト、
１５ａ：垂直部、
１５ｂ：上部プレート、
１５ｃ：下部プレート、
１６：延長部、
５３：軌条、
５４：前面扉、
５６：車輪、
５９，５９ａ，５９ｂ：ローラー
【図１】
2005298229.tif 000003
【図２】
2005298229.tif 000004
【図３】
2005298229.tif 000005
【図４】
2005298229.tif 000006
【図５】
2005298229.tif 000007